(57)【要約】【課題】空気調和機のスライムによる故障発生を防ぐ為に配置した防菌防黴性樹脂成形体がプレート形状であると段差や傾斜など水受け皿の特殊形状にはフィットしにくく、配置場所が安定しにくかったり、排水溝などを塞いでしまってドレン水排水の障害となるという課題を有している。【解決手段】熱交換器１と、前記熱交換器１により凝縮されたドレン水を受ける水受け皿３と、前記水受け皿に貯留したドレン水を機外へ排出するドレンポンプ４を搭載し、前記ドレンポンプ４の吸込み口に取り付けたごみよけ５を、防菌防黴性樹脂成形体で成形することにより、小型で簡単な形状の安価な構成でドレン水にスライムが発生することを長期に亘って安定して抑制することができ、スライムによる故障発生がない空気調和機を提供する。【選択図】図１
2008261554.tif 000002
【特許請求の範囲】
【請求項１】
熱交換器と、前記熱交換器により凝縮されたドレン水を受ける水受け皿と、前記水受け皿に貯留したドレン水を機外へ排出するドレンポンプを搭載し、前記ドレンポンプの吸込み口に取り付けたごみよけを、防菌防黴性樹脂成形体で成形することを特徴とする空気調和機。
【発明の詳細な説明】
【技術分野】
【０００１】
本発明は、防菌防黴性樹脂成形体を設けドレン水にスライムが発生することを長期に亘って抑制することができ、スライムによる故障発生がない空気調和機に関するものである。
【背景技術】
【０００２】
従来の空気調和機の構造について説明する（例えば、特許文献１参照）。図３は、特許文献１に記載された従来の空気調和機を示すもので、熱交換器１と、熱交換器１により熱交換した空気を室内に送出するファン２と、熱交換器１により凝縮されたドレン水を受ける水受け皿３と、防菌防黴性樹脂成形体プレート４ｆから構成されている。
【０００３】
通常、防菌防黴性樹脂成形体プレート４ｆを有しない構成では、水受け皿３に貯留したドレン水を長期間放置すると微生物が繁殖し、粘着性の物質（スライム）が発生することがある。ドレン水に発生したスライムは、ドレンポンプやドレンホースを閉塞し、やがてドレン水が漏洩するといった空気調和機の故障の原因となる。
【０００４】
このような問題の解決方法として、ドレン水に微生物が繁殖しないようにドレン皿に防菌防黴剤を分散させるという考え方がある。しかしながら、ドレン皿を樹脂成形体で構成する場合、ドレン皿に多量の防菌防黴剤を分散させようとすると、防菌防黴剤と樹脂基材との混和性が低下することでその成形性が悪化することから、ドレン皿を高い成形精度で製造することができず、結果として、この考え方は、ドレン皿への防菌防黴剤の分散量が制限されるので効果の持続性の点で劣るといった評価であった。また樹脂部品が大きいと、コストが高くなるという課題を有していた。
【０００５】
そこで、特許文献１においては、防菌防黴剤のドレン水への溶出を円滑にするフィラーを含有させた防菌防黴プレート４ｆをドレン皿内に配設してドレン水にスライムが発生することを抑制する方法が提案されているものである。
【特許文献１】特開平７−１０３５００号公報
【発明の開示】
【発明が解決しようとする課題】
【０００６】
しかしながら、前記従来のプレート形状では、形状が簡単である反面、ドレン水を集めるために設けられる段差や傾斜など水受け皿の特殊形状にはフィットしにくく、配置場所が安定しにくかったり、排水溝などを塞いでしまってドレン水排水の障害となってしまったりするという課題を有していた。
【０００７】
本発明は、前記従来の課題を解決するもので、小型で簡単な形状の防菌防黴性樹脂成形体を効果的な位置に設けることにより安価で長期に亘って安定してスライムが発生することを抑制することができ、スライムによる故障発生がない空気調和機を提供することを目的とする。
【課題を解決するための手段】
【０００８】
前記従来の課題を解決するために、本発明の空気調和機は、熱交換器により凝縮されたドレン水を機外へ排出するドレンポンプの吸い込み口に取り付けたごみよけを防菌防黴性樹脂成形体で成形することを特徴としたものである。
【０００９】
これにより、ドレン水が１箇所に溜まり易い場所に設置しているドレンポンプ吸い込み
口にごみよけを取り付けているので、防菌防黴性樹脂成形体に含有された防菌防黴剤がドレン水へ溶出する効果が高くなる。また、ドレンポンプの吸い込み口にごみよけ取り付けることにより安定して配置でき、排水溝などを塞いでしまってドレン水排水の障害となるようなことなく、防菌防黴性樹脂成形体に含有された防菌防黴剤がドレン水へ溶出して防菌防黴効果の持続性が保持できる。
【００１０】
これによって、小型で簡単な形状の防菌防黴性樹脂成形体をほとんどの時間ドレン水に漬かるような効果的な位置に設けることにより、安価で長期に亘ってドレン水にスライムが発生することを安定して抑制することができ、スライムによる故障発生がない空気調和機を提供することができる。
【発明の効果】
【００１１】
本発明の空気調和機は、成形が簡易および小型で安価な防菌防黴性樹脂成形体を効果的な位置に設けることにより、ドレン水にスライムが発生することを長期に亘って安定して抑制することができ、スライムによる故障発生がない空気調和機を提供することができる。
【発明を実施するための最良の形態】
【００１２】
第１の発明は熱交換器により凝縮されたドレン水を機外に排出するドレンポンプの吸込み口に取り付けたごみよけを防菌防黴性樹脂成形体で成形することにより、小型で簡単な形状の安価な構成でドレン水にスライムが発生することを長期に亘って安定して抑制することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の断面図を示すものである。図１において、熱交換器１と、熱交換器１により熱交換した空気を室内に送出するファン２と、熱交換器１により凝縮されたドレン水を受ける水受け皿３とがある。水受け皿３には、ドレン水が１箇所に溜まり易いように段差や傾斜が設けてあり、水受け皿に貯留したドレン水を機外へ排出するドレンポンプ４の吸込み口に取り付けたごみよけ５を防菌防黴性樹脂成形体で成形している。
【００１５】
以上のように構成された空気調和機について、以下その動作、作用を説明する。まず、熱交換機により凝縮されたドレン水を受ける水受け皿３には、ドレン水が１箇所に溜まり易いように傾斜が設けてあり、その傾斜の最深部にドレンポンプ４の吸込み口が来るように設けてある。水受け皿に溜まったドレン水は、必ずドレンポンプ４によって空気調和機外部へ排出されるので、ドレンポンプ４の吸込み口に取り付けたごみよけ５を防菌防黴性樹脂成形体で成形することにより、ドレン水が溜まっていれば、防菌防黴性樹脂成形体はほぼ常にドレン水に漬かっていることになり、スライム発生の防止に効果的である。
【００１６】
更に、ドレンポンプ４の吸込み口にごみよけを取り付けているため、ドレン水の増減によって防菌防黴性樹脂成形体で成形されたごみよけが移動して防菌防黴効果が得られなくなったり、また、移動して排水溝などを塞いでしまってドレン水排水の障害となったりすることもない。
【００１７】
以上のように、本実施の形態においては熱交換器１により凝縮されたドレン水を受ける水受け皿３の最深部にドレンポンプ４の吸込み口が来るように設け、ドレンポンプ４の吸込み口に取り付けたごみよけ５を防菌防黴性樹脂成形体で成形することにより、ほとんど
の時間、ドレン水に漬かるような効果的な位置に設けた小型で簡単な形状の安価な構成でドレン水にスライムが発生することを長期に亘って安定して抑制することができ、スライムによる故障発生がない空気調和機を提供することができる。
【産業上の利用可能性】
【００１８】
以上のように、本発明にかかる空気調和機は、小型で簡単な形状の防菌防黴性樹脂成形体を効果的な位置に設けることにより安価でドレン水にスライムが発生することを長期に亘って安定して抑制することができ、スライムによる故障発生がないので住宅および設備などの空調に用いる空気調和機の室内ユニット等にも適用できる。
【図面の簡単な説明】
【００１９】
【図１】本発明の実施の形態１における空気調和機の断面図
【図２】従来の空気調和機の断面図
【符号の説明】
【００２０】
１  熱交換器
２  ファン
３  水受け皿
４  ドレンポンプ
５  ごみよけ
【図１】
2008261554.tif 000003
【図２】
2008261554.tif 000004